(57)【要約】【課題】草や小さなゴミ等を効率よく簡単に回収できる集塵装置を提供する。【解決手段】車輪２と、ブロワ４と、ブロワ４を駆動する駆動装置３と、ブロワ４の送風によって収集対象物Ｚを吸引する誘引ダクト６と、を搭載するハンドル１付きの手押し式集塵機１０を備え、かつ、箱型の回収容器１２と、回収容器１２を積載する台車１４とを備え、集塵機１０のブロワ４と回収容器１２とを可撓管８によって連結し、ブロワ４の排出口４Ａから可撓管８内に圧送されて可撓管８の先端口部８Ａから吐出される収集対象物Ｚを回収容器１２にて収集するように構成している。【選択図】図１
2012217386.tif 000002
【特許請求の範囲】
【請求項１】
車輪（２）と、ブロワ（４）と、該ブロワ（４）を駆動する駆動装置（３）と、上記ブロワ（４）の送風によって収集対象物（Ｚ）を吸引する誘引ダクト（６）と、を搭載するハンドル（１）付きの手押し式集塵機（１０）を備え、かつ、箱型の回収容器（１２）と、該回収容器（１２）を積載する台車（１４）とを備え、上記集塵機（１０）のブロワ（４）と上記回収容器（１２）とを可撓管（８）によって連結し、該ブロワ（４）の排出口（４Ａ）から上記可撓管（８）内に圧送されて該可撓管（８）の先端口部（８Ａ）から吐出される上記収集対象物（Ｚ）を上記回収容器（１２）にて収集するように構成したことを特徴とする集塵装置。
【請求項２】
上記回収容器（１２）は、上記収集対象物（Ｚ）を捕集するための水（Ｗ）を張った上方開口状の容器本体（１９）と、該容器本体（１９）に着脱自在な蓋体（１５）と、から成り、該蓋体（１５）が、上記可撓管（８）の先端口部（８Ａ）が連結される給気孔部（１７）と、防塵フィルター部材（２０）を付設した排気孔部（１８）と、を有し、
１個の上記蓋体（１５）に対して、複数個の上記容器本体（１９）から成る一揃えの容器本体セット（Ｓ）から選択した１個の容器本体（１９）を、順次取着可能に構成した請求項１記載の集塵装置。
【請求項３】
上記防塵フィルター部材（２０）が、倒立略錐形状であって、その側面部を、上記収集対象物（Ｚ）及びそれに含まれる塵埃を取り除く第１網状体（２１）で構成し、かつ、その上面部を、該第１網状体（２１）よりも目の細かい第２網状体（２２）で構成している請求項２記載の集塵装置。
【請求項４】
上記防塵フィルター部材（２０）は、排気風によってはためいて上記第２網状体（２２）に振動を付与する旗状布片（２３）を付設している請求項２又は３記載の集塵装置。
【発明の詳細な説明】
【技術分野】
【０００１】
本発明は、集塵装置に関する。
【背景技術】
【０００２】
従来、草刈機を使用して刈り取った草や、落ち葉、枝、小さなゴミ等を、まとめて廃棄するには手や熊手等でかき集めなければならなかった。そして、その回収作業は、作業員の負担となっていた。
そこで、本出願人は、草等を簡単に回収できる（原動機付きの）手押し式集草機を提案している（特許文献１参照）。
【先行技術文献】
【特許文献】
【０００３】
【特許文献１】特許第４５５４９４８号公報
【発明の概要】
【発明が解決しようとする課題】
【０００４】
特許文献１記載の集草機は、草やゴミ等の収集対象物を、ブロワの下方にぶら下げた草収納袋に入れて回収していた。このため、草収納袋が満杯になって重くなってしまうと、集草機がバランスを崩してスムーズに走行できなくなる欠点があった。
【０００５】
広い公園や空き地、又は、路肩に街路樹が植えられている道路等に於て、多量の葉やゴミが広範囲に散在している場合には、草収納袋がすぐに満杯になってしまうため、頻繁に草収納袋を新しいものに交換しなければならなかった。つまり、従来の集草機は、草収納袋の交換をするために、何度も回収作業を中断する必要があり、作業効率が低下するという問題があった。
【０００６】
そこで、本発明は、草や小さなゴミ等を効率よく簡単に回収できる集塵装置を提供することを目的とする。
【課題を解決するための手段】
【０００７】
本発明に係る集塵装置は、車輪と、ブロワと、該ブロワを駆動する駆動装置と、上記ブロワの送風によって収集対象物を吸引する誘引ダクトと、を搭載するハンドル付きの手押し式集塵機を備え、かつ、箱型の回収容器と、該回収容器を積載する台車とを備え、上記集塵機のブロワと上記回収容器とを可撓管によって連結し、該ブロワの排出口から上記可撓管内に圧送されて該可撓管の先端口部から吐出される上記収集対象物を上記回収容器にて収集するように構成したものである。
【０００８】
また、上記回収容器は、上記収集対象物を捕集するための水を張った上方開口状の容器本体と、該容器本体に着脱自在な蓋体と、から成り、該蓋体が、上記可撓管の先端口部が連結される給気孔部と、防塵フィルター部材を付設した排気孔部と、を有し、１個の上記蓋体に対して、複数個の上記容器本体から成る一揃えの容器本体セットから選択した１個の容器本体を、順次取着可能に構成したものである。
【０００９】
また、上記防塵フィルター部材が、倒立略錐形状であって、その側面部を、上記収集対象物及びそれに含まれる塵埃を取り除く第１網状体で構成し、かつ、その上面部を、該第１網状体よりも目の細かい第２網状体で構成しているものである。
また、上記防塵フィルター部材は、排気風によってはためいて上記第２網状体に振動を付与する旗状布片を付設しているものである。
【発明の効果】
【００１０】
本発明の集塵装置によれば、台車に積載した回収容器に大量の収集対象物を集めることができ、集塵機を（手押しにて）軽快に走行させることができる。
【図面の簡単な説明】
【００１１】
【図１】本発明に係る集塵装置の実施の一形態を示した側面図である。
【図２】集塵装置を示した斜視図である。
【図３】台車に積載した回収容器を示した平面図である。
【図４】図３のＡ−Ａ側面断面図である。
【図５】防塵フィルター部材の分解図である。
【図６】回収容器の作用を示した説明図である。
【図７】集塵装置の使用状態を示した説明図である。
【発明を実施するための形態】
【００１２】
以下、実施の形態を示す図面に基づき本発明を詳説する。
図１と図２に示すように、本発明の集塵装置は、車輪２と、ブロワ４と、ブロワ４を駆動する駆動装置３と、ブロワ４の送風によって収集対象物Ｚを吸引する誘引ダクト６と、を搭載するハンドル１付きの手押し式集塵機１０を備え、かつ、箱型の回収容器１２と、回収容器１２を積載する台車１４とを備えている。本発明の集塵装置は、集塵機１０のブロワ４と回収容器１２とを可撓管８によって連結し、ブロワ４の排出口４Ａから可撓管８内に圧送されて可撓管８の先端口部８Ａから吐出される収集対象物Ｚを回収容器１２にて収集するように構成している。
【００１３】
集塵機１０は、駆動装置３を保持するフレーム２６を備え、このフレーム２６の下方に車輪２が設けられ、上端にハンドル１が設けられている。車輪２は、短円柱形状の樹脂成型品から成り、地面Ｇに接触して集塵機１０の荷重を支持している。車輪２の左右両側には、一対の補助輪２ａ，２ａを付設している。フレーム２６とハンドル１との連結部には、高さ調整具２４が介装されている。高さ調整具２４は、例えば、互いに噛合する円環状のギア歯を有する２組有し、対となるギア歯は、ボルト・ナットの締緩作用により、その噛合位置を変えられる構造のものであって、ハンドル１を揺動自在に取着している。
【００１４】
集塵機１０は、原動機や電動モーター等の駆動装置３により作動する吸引機構１１を有している。吸引機構１１は、ブロワ４と誘引ダクト６から成り、ブロワ４により誘引ダクト６内に（先端から基端に向けて）風を発生させ、地面Ｇに落ちている草や、小さな紙きれ等のゴミ、枯葉、枝等の収集対象物Ｚを吸い込んで回収するように構成している。なお、集塵機１０は、吸引機構１１を付け替え自在のアタッチメントとして備えており、図示両略の草刈機構や除雪機構等を取り付けて使用することもできる。
ブロワ４は、駆動装置３の駆動シャフトに回転駆動される支持短管３１の一端に固着された羽根車３０を有し、この羽根車３０をケーシング１６にて外装している。ブロワ４は、背面視に於て、ケーシング１６の右上部に、後方に開口する排出口４Ａを有している。
誘引ダクト６は、筒状のダクト本体部２５を有し、ダクト本体部２５の基端は、ブロワ４のケーシング１６の前面で且つ羽根車３０に対応する位置に前方下傾状に取付けられている。ダクト本体部２５の先端は、左右の幅寸法が小さく形成された下向きの下端開口部２５ａが設けられている。下端開口部２５ａの形状は、前方が丸みを帯びた前後に細長い長方形である。また、ダクト本体部２５の先端には、下端開口部２５ａから突出するノズル２８を取着している。このノズル２８の下端に、下方開口状の吸引孔９を設けてあり、誘引ダクト６は、吸引孔９の開口端縁を水平に保つための角度調整機構２７を具備している。角度調整機構２７は、例えば、ヒンジ３８と長穴３９と固定ネジ３７とから成る構造であって、ノズル２８が、下端開口部２５ａの背面側端部にヒンジ３８により揺動自在に取付けられている。長穴３９は、ダクト本体部２５の先端近傍の側面に設けられ、この長穴３９に固定ネジ３７を挿入し、固定ネジ３７の先端をノズル２８の雌ネジ孔に螺合している。誘引ダクト６には、ダクト本体部２５の下面に、スライド孔４１を有する帯状部材４０が、鉛直下向きかつダクト本体部２５の長手方向に一体状に突設されている。
【００１５】
集塵機１０は、誘引ダクト６の下方にて地面Ｇを転動する球体７を有している。
球体７は、半球殻状受部材４５の内側に、多数の小球４３…を介して回転自在に取付けられている。半球殻状受部材４５の下端内側には、球体７を所定位置に保持すると共に小球４３…落下防止用の外れ止めリング４４が付設されている。半球殻状受部材４５の上部には、２つの突片部４２，４２を突設している。球体７は、突片部４２，４２の間に、ダクト本体部２５の帯状部材４０を挟み込み、突片部４２，４２にスライド孔４１を挿通するボルトを挿入し、ナットを螺合することで誘引ダクト６の長手方向にスライド自在として付設されている。
可撓管８は、樹脂製のフレキシブルホースから成り、図示省略するが、自由状態での長さ寸法が３ｍ〜１０ｍに設定されている。可撓管８の基端部は、ブロワ４の排出口４Ａを覆うように嵌め込んで取着されている。
【００１６】
図３と図４に示すように、回収容器１２は、収集対象物Ｚを捕集するための水Ｗを張った上方開口状の容器本体１９と、容器本体１９に着脱自在な蓋体１５と、から成る。
蓋体１５が、可撓管８の先端口部８Ａが連結される給気孔部１７と、防塵フィルター部材２０を付設した排気孔部１８と、を有しており、図７に示すように、１個の蓋体１５に対して、複数個の容器本体１９から成る一揃えの容器本体セットＳから選択した１個の容器本体１９を、順次取着可能に構成している。
【００１７】
回収容器１２は、容器本体１９の開口部を蓋体１５により閉塞し、包囲状の内部収納空間２９を形成している。回収容器１２は、内部収納空間２９の容量を、２０Ｌ〜１２０Ｌに設定するのが望ましい。仮に、内部収納空間２９の容量が２０Ｌより小さいと、収集対象物Ｚを十分に集めることができず、頻繁に容器本体１９を交換しなければならないため作業効率が低下し、また、内部収納空間２９の容量が１２０Ｌより大きいと、台車１４に積載することができなくなる虞れがある。回収容器１２は、容器本体１９の上端辺縁部近傍に付設した係止部材１３，１３によって、蓋体１５が外れないように保持している。
台車１４は、回収容器１２の荷重を支持する載置台部４８と、載置台部４８の後部に枢着した左右一対の車輪４９，４９と、載置台部４８の前部に付設した補助輪５０とを有している。載置台部４８の前端縁には、引張り用突片４８ａを前端上傾状に突設している。
【００１８】
給気孔部１７は、蓋体１５の平面視中央位置に配設されている。給気孔部１７には、可撓管８（の先端口部８Ａ）を（外嵌状に）取付可能な円筒部３４と、円筒部３４に連設される拡径状広口筒部３５とを有する減速用ガイド部材３３が取り付けられている。このガイド部材３３は、円筒部３４を、蓋体１５の上部に短い煙突のように突出し、広口筒部３５を、回収容器１２の内部収納空間２９に配設している。ガイド部材３３は、広口筒部３５の下端縁部から容器本体１９の底面までの高さ寸法Ｈが、容器本体１９の底面から上端縁部までの高さ寸法Ｈ０の６５％（約２／３倍）以上の大きさを確保するように形成されている。仮に、ガイド部材３３の広口筒部３５の下端縁部から容器本体１９の底面までの高さ寸法Ｈを、容器本体１９の高さ寸法Ｈ０の６５％より小さく設定すると、回収容器１２の内部収納空間２９が収集対象物Ｚで満杯になる前に、給気孔部１７が詰まってしまい、収集対象物Ｚを十分に集めることができなくなる。
排気孔部１８は、平面視矩形状に形成した貫通孔に、防塵フィルター部材２０が取り付けられている。排気孔部１８は、回収容器１２への送風により内部収納空間２９の圧力が上昇しないように空気を回収容器１２の外部へ（排気風として）逃がしつつ、防塵フィルター部材２０によって、収集対象物Ｚを回収容器１２の内部収納空間２９に閉じ込めるように構成している。
【００１９】
図５は、防塵フィルター部材２０を分解して示した図である。
防塵フィルター部材２０は、（組立てた状態に於て）倒立略錐形状であって、その側面部を、収集対象物Ｚ及びそれに含まれる塵埃を取り除く第１網状体２１で構成し、かつ、その上面部を、第１網状体２１よりも目の細かい第２網状体２２で構成している。
防塵フィルター部材２０は、倒立四角錐形（天地逆さまのピラミッド型）の枠体３２を有し、枠体３２の側面部に第１網状体２１を張り付け、かつ、枠体３２の上面を第２網状体２２で閉蓋している。なお、第１網状体２１は、言わば、比較的目の粗い濾過フィルターである。一方、第２網状体２２は、収集対象物Ｚと一緒に吸い込まれてくる塵埃に含まれる小さな埃や塵を取り除く比較的目の細かい濾過フィルターである。なお、防塵フィルター部材２０の下端部（逆さピラミッド型枠体３２の頂部）は、小孔３６が設けられており、第２網状体２２により取り除かれた小さな埃や塵が、防塵フィルター部材２０内部に堆積することがないよう、下方に落下するように構成している。
【００２０】
防塵フィルター部材２０は、排気風によってはためいて第２網状体２２に振動を付与する旗状布片２３を付設している。
旗状布片２３は、第２網状体２２の対角線上に取付けられている。具体的には、旗状布片２３の下端縁両端に設けた紐を、第２網状体２２の角部に括り付け、より好ましくは、複数のＳ字フックや針金等を使用して旗状布片２３と第２網状体２２とを複数箇所で連結しておくと良い。なお、図例では、旗状布片２３を、三角形状にて示しているが、旗状布片２３の形状や枚数は設計の変更が可能であり、例えば、旗状布片２３を矩形状に形成することや、複数枚の帯状布を並べて取り付けたものであって良い。
【００２１】
上述した本発明の集塵装置の使用方法（作用）について説明する。
図２に示す集塵機１０のハンドル１を手で押して走行させ、収集対象物Ｚを誘引ダスト６により吸い込んで回収する。図６に示すように、回収した収集対象物Ｚは、可撓管８内を圧送されて、先端口部８Ａから回収容器１２に吐出される。給気孔部１７に於て、ガイド部材３３の円筒部３４から広口筒部３５へ移行することで流路が拡大し、収集対象物Ｚは、満遍なく散らばりながら減速して落下する。
【００２２】
収集対象物Ｚは、その殆どが、回収容器１２内の水Ｗに接触し、水分を含んで沈み込むことで回収容器１２の底面に堆積していく。内部収納空間２９内に吐出された収集対象物Ｚの内、水Ｗに触れずに風に乗って舞い上がった収集対象物Ｚの一部は、排気孔部１８に於て、防塵フィルター部材２０により、排気風から取り除かれて、下方に落下する。この際、防塵フィルター部材２０は、第１網状体２１により、葉っぱや紙きれ等の比較的体積の大きい収集対象物Ｚ、及び、収集対象物Ｚと共に吸引されてきた埃や塵を捕獲し、さらに、第２網状体２２により、第１網状体２１にて捕まえきれなかった（比較的体積の小さい）埃や塵、砂等を捕獲する。この際、防塵フィルター部材２０は、第２網状体２２の目が細かいが故に目詰まりを起こし易いが、旗状布片２３により振動を付与することで、目に詰まった埃や塵、砂等を振るい落とし、小孔３６から下方に落下させることで、第２網状体２２の目詰まりを防止する。
【００２３】
図７に示すように、本発明の集塵装置に於て、集塵機１０は、（可撓管８の長さ寸法に相当する半径の円形領域内の）広い範囲での走行が可能であり、台車１４と共に回収容器１２を移動することで、その走行可能範囲をさらに延長（拡大）していくことができる。集塵機１０は、大型の清掃車両が侵入できない細い路地や、狭い間隔で植えられた街路樹の間にも侵入して、収集対象物Ｚ…を回収する。集塵機１０にて回収した収集対象物Ｚは、回収容器１２にて収集されるため、集塵機１０はバランスを保ちスムーズに走行する。
そして、回収容器１２が、回収した収集対象物Ｚ…で満杯になった場合には、満杯の容器本体１９から蓋体１５を取り外し、容器本体セットＳの中から選択して新しい容器本体１９を、蓋体１５に取り付けて交換する。この際、畑や道路等に、容器本体１９…を順次置いておき、次々と付け替えていくことで、集塵機１０をほとんど休ませずに収集対象物Ｚの回収作業を継続して行ない得る。集塵機１０のハンドル１を押す作業員は、容器本体１９の交換に際し、集塵機１０を作業中断時の場所にそのまま置いておくか、又は、別の作業員を回収容器１２の近くに配置して行う。
【００２４】
以上のように、本発明に係る集塵装置は、車輪２と、ブロワ４と、ブロワ４を駆動する駆動装置３と、ブロワ４の送風によって収集対象物Ｚを吸引する誘引ダクト６と、を搭載するハンドル１付きの手押し式集塵機１０を備え、かつ、箱型の回収容器１２と、回収容器１２を積載する台車１４とを備え、集塵機１０のブロワ４と回収容器１２とを可撓管８によって連結し、ブロワ４の排出口４Ａから可撓管８内に圧送されて可撓管８の先端口部８Ａから吐出される収集対象物Ｚを回収容器１２にて収集するように構成したので、台車１４に積載した回収容器１２に大量の収集対象物Ｚを集めることができ、集塵機１０がバランスを崩してひっくり返ることなく、手押しにて軽快に走行できる。
【００２５】
また、回収容器１２は、収集対象物Ｚを捕集するための水Ｗを張った上方開口状の容器本体１９と、容器本体１９に着脱自在な蓋体１５と、から成り、蓋体１５が、可撓管８の先端口部８Ａが連結される給気孔部１７と、防塵フィルター部材２０を付設した排気孔部１８と、を有し、１個の蓋体１５に対して、複数個の容器本体１９から成る一揃えの容器本体セットＳから選択した１個の容器本体１９を、順次取着可能に構成したので、容器本体１９のみを次々と交換しつつ、収集対象物Ｚが満杯となった容器本体１９を畑や道路等に順次置いて、集塵機１０を、ほとんど休ませずに回収作業を続けて行い得る。特に、容器本体１９の交換が迅速かつ容易であって、時間を短縮でき、作業効率を向上できる。
【００２６】
また、防塵フィルター部材２０が、倒立略錐形状であって、その側面部を、収集対象物Ｚ及びそれに含まれる塵埃を取り除く第１網状体２１で構成し、かつ、その上面部を、該第１網状体２１よりも目の細かい第２網状体２２で構成しているので、回収容器１２内の圧力が上昇しないように空気を逃がすことができ、かつ、回収容器１２の排気孔部１８から出る排気風から収集対象物Ｚ及び塵埃を確実に取り除くことができる。特に、第１網状体２１と第２網状体２２とを有する２重構造であるため、通気抵抗を低く抑えつつ、比較的体積の小さい埃や塵、砂等を捕獲して確実に取り除くことができる点で優れている。
【００２７】
また、防塵フィルター部材２０は、排気風によってはためいて第２網状体２２に振動を付与する旗状布片２３を付設しているので、第２網状体２２の目詰まりを簡単に防止できる。
【符号の説明】
【００２８】
１  ハンドル
２  車輪
３  駆動装置
４  ブロワ
４Ａ  排出口
６  誘引ダクト
８  可撓管
８Ａ  先端口部
１０  集塵機
１２  回収容器
１４  台車
１５  蓋体
１７  給気孔部
１８  排気孔部
１９  容器本体
２０  防塵フィルター部材
２１  第１網状体
２２  第２網状体
２３  旗状布片
Ｚ  収集対象物
Ｗ  水
Ｓ  容器本体セット
【図１】
2012217386.tif 000003
【図２】
2012217386.tif 000004
【図３】
2012217386.tif 000005
【図４】
2012217386.tif 000006
【図５】
2012217386.tif 000007
【図６】
2012217386.tif 000008
【図７】
2012217386.tif 000009